(57)【要約】  車車間通信の通信性能を確保しつつ，フロントカバー前傾斜面の設計自由度を高め，フロントカバー内の空間利用効率を向上できるリーン車両を提供するため，車車間通信用アンテナを，シート前端より前かつ車輪上端よりも上において，非金属製フロントカバーの前傾斜面の少なくとも一部を構成するようにリーン車体に設け，車車間通信装置に電気的に接続された板状の金属製基板アンテナ部を，非金属製フロントカバーの前傾斜面において視認されないように樹脂母材内に埋設する。
2020045393.tif 000002
【特許請求の範囲】
【請求項１】
車車間通信用アンテナ搭載リーン車両であって、  前記車車間通信用アンテナ搭載リーン車両は、  左旋回中に左方向に傾斜し、右旋回中に右方向に傾斜するリーン車体と、  略円弧状の横断面輪郭形状を有する接地部を有し、前記リーン車体に設けられ、左旋回中に左方向に傾斜し、右旋回中に右方向に傾斜するように、前後それぞれに設けられるリーン車輪と、  車両前後方向において、前後のリーン車輪の間に位置するシートと、  非金属材料により形成され、後方向に見て被視認可能であり且つ走行時に前から風を受ける前傾斜面を有する非金属性フロントカバーと、  前記リーン車体に設けられ、前記リーン車体の周囲に存在する車両との車車間通信に用いられる車車間通信装置と、  前記車車間通信装置に電気的に接続された板状の金属製基板アンテナ部を有し、前記リーン車体と一体的に左方または右方に傾斜するように設けられ、少なくとも前記車車間通信用アンテナ搭載リーン車両の前方向に電波を少なくとも送信する車車間通信用アンテナとを有し、  前記車車間通信用アンテナは、前記シートの前端よりも前且つ前記リーン車輪の上端よりも上において、前記非金属製フロントカバーの前記前傾斜面の少なくとも一部を構成するように前記リーン車体に設けられ、  前記金属製基板アンテナ部は、前記非金属製フロントカバーの前記前傾斜面において視認されないように樹脂母材内に埋設されている。
【請求項２】
請求項１に記載の車車間通信用アンテナ搭載リーン車両であって、  前記車車間通信用アンテナは、前記金属製基板アンテナ部と電気的に接続されたアンテナ線を備え、  前記アンテナ線は、前記車車間通信用アンテナの後表面から、前記非金属製フロントカバー内の内部空間へ延びている。
【請求項３】
リーン車両に搭載されるように構成された、請求項１又は２に記載の車車間通信用アンテナ。
【発明の詳細な説明】
【技術分野】
【０００１】  本発明は、車車間通信用アンテナ搭載リーン車両、及びリーン車両に搭載されるように構成された車車間通信用アンテナに関する。
【背景技術】
【０００２】  リーン車両は、様々な用途に応じて様々なアンテナを搭載する。リーン車両に搭載するアンテナの例として、ＧＰＳアンテナ、ＥＴＣ車載アンテナ、及び車車間通信用アンテナ等が挙げられる。ＧＰＳアンテナは受信用アンテナであり、ＧＰＳ通信衛星からの電波を受信する。従って、ＧＰＳアンテナは、ＧＰＳ通信衛星からの電波を受信するため、上方からの電波を受信できるように受信面が上方に向けて配置される。ＥＴＣ車載アンテナは、送受信用アンテナであり、リーン車両の走行する道路において、ＥＴＣゲートの上方に設けられたＥＴＣアンテナからの電波を送受信するように設けられる。従って、ＥＴＣ車載アンテナは、水平方向よりも上方のＥＴＣアンテナと電波を送受信する。例えば、ＥＴＣ車載アンテナは、水平方向に対し４５度以上の方向で電波を送受信するため、リーン車両の直立状態においてアンテナの送受信面が上方を向くように設置される。また、ＥＴＣ車載アンテナの指向性は、狭い。これは、ＥＴＣが、各ＥＴＣゲートに対応する車線を直立状態で直進するリーン車両に対し課金するのに使用されるからである。【０００３】  一方で、車車間通信用アンテナは、このアンテナが搭載されたリーン車両の周囲に存在する車両との間で通信を行うための送受信アンテナである。  例えば、特許文献１に開示されたリーン車両は、リーン車両の周囲に存在する車両との間で通信を行う車車間通信装置を備えている。車車間通信装置は、電気的に接続される金属製棒状アンテナを備えている。特許文献１の車車間通信用の金属製棒状アンテナは、フロントカバー内の内部空間において、ヘッドパイプに設けられたステーに固定具を介して設けられている。
【先行技術文献】
【特許文献】
【０００４】
【特許文献１】国際公開第２０１４／１３６６５８号
【発明の概要】
【発明が解決しようとする課題】
【０００５】  特許文献１に開示されたリーン車両では、車車間通信用の金属棒状アンテナが、フロントカバー内に設置されているため、フロントカバーの前傾斜面に現れない。フロントカバーの前傾斜面の設計自由度が確保される。リーン車両にとって、フロントカバーの前傾斜面は、看者から最も注目される部分である。そのため、フロントカバーの前傾斜面の設計自由度は重要である。【０００６】  しかしながら、フロントカバー内の内部空間に車車間通信用の金属棒状アンテナが配置されるため、フロントカバー内の内部空間を効率よく利用することが難しい。車車間通信用アンテナの周囲に位置する物体は、車車間通信の通信性能の影響を及ぼす。特に、金属製の機器、装置、配線等が車車間通信の通信性能に及ぼす影響は大きい。また、車車間通信用アンテナは、自車両から略水平前方向に離れた位置に存在する車両と主に通信するという特性を有するため、前方向に障害物が設置されないことが好ましい。このように、車車間通信用アンテナがフロントカバーの内部空間に設けられると、当該内部空間内の機器、装置、配線等のレイアウトに対して種々の制約が生じてしまう。そのため、当該内部空間の利用効率が低下してしまうおそれがあった。特に、リーン車両は、走行時に運転者の体重移動によって車両の姿勢が制御されるように構成されている。操作性及び走行性能の観点から、リーン車両は、小型であることを求められる傾向がある。フロントカバーの内部空間の利用効率は、リーン車両にとって重要である。即ち、以下の全てを得ることが、車車間通信用アンテナ搭載リーン車両にとって重要である。  車車間通信の通信性能  フロントカバー前傾斜面の設計自由度  フロントカバー内の内部空間の利用効率【０００７】  本発明は、車車間通信の通信性能を確保しつつ、フロントカバー前傾斜面の設計自由度を高め、フロントカバー内の内部空間の利用効率を向上させることができる車車間通信用アンテナ搭載リーン車両を提供する。
【課題を解決するための手段】
【０００８】  上述した目的のために、本発明者は、以下の検討を行った。【０００９】  車車間通信用アンテナは、ＧＰＳアンテナ又はＥＴＣ車載アンテナとは異なり、車両と通信するためのアンテナである。車車間通信用アンテナは、リーン車両の周囲で道路上にある車両に電波を送信するため、水平方向に電波を送信するようにリーン車両に設置される。また、車車間通信用アンテナは、リーン車両の周囲を走行する車両に電波を送信するため、水平面において広い角度範囲で送信することが求められる。  また、車車間通信用アンテナは、例えばリーン姿勢での通信、及び上り坂と下り坂の境にあるピークを超える場合の前後方向での通信に対応するため、水平方向よりも上方及び下方を送信範囲に含めることが求められる。水平方向よりも上方及び下方は、例えば、水平方向に対し上下４５度の範囲である。従って、車車間通信用アンテナは、電波の送信方向及び指向性等において、ＧＰＳアンテナ及びＥＴＣアンテナ等のアンテナと異なっている。  車車間通信では、通信対象の車両が、通常、自車両と同じく道路上にある。車車間通信用アンテナは、アンテナが搭載されたリーン車両と略同じ高さに存在し、このリーン車両から離れた位置に存在する車両と主に通信する。【００１０】  本発明者は、フロントカバー内の内部空間の利用効率を向上させるために、アンテナ形状について検討した。具体的に、本発明者は、車車間通信用アンテナを板状にすることにより、基板アンテナをフロントカバー内に沿わせて配置させることを検討した。【００１１】  しかし、フロントカバーは、意匠性や走行抵抗などを考慮して設計された曲面を有している。一方、基板アンテナも、車車間通信の性能を得るために、形状や大きさについての制約を有している。基板アンテナは、車車間通信の性能を得るための大きさを有していなければならない。そのため、基板アンテナをフロントカバー内に好適に沿わせて配置させることが難しく、フロントカバー内の内部空間の利用効率を向上させることが困難であった。【００１２】  そこで、本発明者は、更に検討を行った。その結果、本発明者は、車車間通信用アンテナ搭載リーン車両のフロントカバーに、基板状の車車間通信用アンテナをモールドすることに想到した。波長短縮により、基板アンテナの面積が小さくても、車車間通信の性能を得ることができる。これにより、基板アンテナの性能及びフロントカバーの前傾斜面の設計自由度を満足させつつ、基板アンテナをフロントカバー内にモールドできる。その結果、フロントカバー内の内部空間の利用効率も向上させることができる。【００１３】  このように、本発明は、リーン車両のフロントカバーに、基板状の車車間通信用アンテナをモールドすることにより、車車間通信の通信性能、フロントカバー前傾斜面の設計自由度及びフロントカバー内の内部空間の利用効率を全て満足するという、今までにない技術思想によって、初めて成し得た発明である。【００１４】  （１）  車車間通信用アンテナ搭載リーン車両であって、  前記車車間通信用アンテナ搭載リーン車両は、  左旋回中に左方向に傾斜し、右旋回中に右方向に傾斜するリーン車体と、  略円弧状の横断面輪郭形状を有する接地部を有し、前記リーン車体���設けられ、左旋回中に左方向に傾斜し、右旋回中に右方向に傾斜するように、前後それぞれに設けられるリーン車輪と、  車両前後方向において、前後のリーン車輪の間に位置するシートと、  非金属材料により形成され、後方向に見て被視認可能であり且つ走行時に前から風を受ける前傾斜面を有する非金属性フロントカバーと、  前記リーン車体に設けられ、前記リーン車体の周囲に存在する車両との車車間通信に用いられる車車間通信装置と、  前記車車間通信装置に電気的に接続された板状の金属製基板アンテナ部を有し、前記リーン車体と一体的に左方または右方に傾斜するように設けられ、少なくとも前記車車間通信用アンテナ搭載リーン車両の前方向に電波を少なくとも送信する車車間通信用アンテナとを有し、  前記車車間通信用アンテナは、前記シートの前端よりも前且つ前記リーン車輪の上端よりも上において、前記非金属製フロントカバーの前記前傾斜面の少なくとも一部を構成するように前記リーン車体に設けられ、  前記金属製基板アンテナ部は、前記非金属製フロントカバーの前記前傾斜面において視認されないように樹脂母材内に埋設されている。【００１５】  非金属性フロントカバーは、後方向に見て被視認可能であり且つ走行時に前から風を受けるという性質上、前方向に障害物を有さない。従って、車車間通信用アンテナが、シートの前端よりも前において、非金属製フロントカバーの前傾斜面の少なくとも一部を構成するように設けられることにより、リーン車体による送受信性能の影響が少ない。【００１６】  また、車車間通信用アンテナは、リーン車輪の上端よりも上において非金属性フロントカバーに設けられる。即ち、車車間通信用アンテナは、車幅方向における中央近くにおいて比較的高い位置に配置される。そのため、旋回時に車車間通信用アンテナの高さが下がり難く、直進状態と旋回状態とでの車車間通信用アンテナの高さの変化が抑制され得る。【００１７】  また、金属製基板アンテナ部は、非金属製フロントカバーの前傾斜面において視認されないように樹脂母材内に埋設されている。そのため、走行風は、金属製基板アンテナ部による影響を受けずに、非金属性フロントカバーの前傾斜面（外表面）に沿ってスムーズに流れることができる。良好な送受信性能が得られつつ、走行風に対する空気抵抗が低減され得る。【００１８】  さらに、金属製基板アンテナ部は、樹脂母材内に埋設されている。波長短波により、金属製基板アンテナ部の面積が小さくても、車車間通信の性能を得ることができる。これにより、車車間通信用アンテナの性能、及び非金属製フロントカバーの前傾斜面の設計自由度を満足させつつ、金属製基板アンテナ部を、非金属製フロントカバーを構成する態様で、樹脂母材内にモールドできる。その結果、フロントカバー内の内部空間の利用効率も向上させることができる。【００１９】  従って、（１）の構成によれば、車車間通信の通信性能を確保しつつ、フロントカバー前傾斜面の設計自由度を高め、フロントカバー内の内部空間の利用効率を向上させることができる。【００２０】  （２）  （１）の車車間通信用アンテナ搭載リーン車両であって、  前記車車間通信用アンテナは、前記金属製基板アンテナ部と電気的に接続されたアンテナ線を備え、  前記アンテナ線は、前記車車間通信用アンテナの後表面から、前記非金属製フロントカバー内の内部空間へ延びている。【００２１】  （２）の構成によれば、車車間通信用アンテナの取付を容易に行うことが可能となる。【００２２】  リーン車両は、リーン姿勢で旋回する車両である。リーン車両は、旋回時にカーブの内方向にリーンするように構成されている。リーン車両は、例えば、旋回時にカーブの内方向にリーンするように構成された鞍乗型車両が挙げられる。そのような車両としては、例えば、自動二輪車、自動三輪車等が挙げられる。自動三輪車は、前二輪型であってもよく、後二輪型であってもよい。リーン車両は、例えば、棒状のステアリングハンドル（バーハンドル）を有する。【００２３】  １台の車車間通信用アンテナ搭載リーン車両において、車車間通信用アンテナは、例えば、非金属製フロントカバーの前傾斜面を構成する部材として非金属製フロントカバーに設けられる。非金属製フロントカバーの前傾斜面を構成する車車間通信用アンテナは、１つであってもよく、複数であってもよい。非金属製フロントカバーの前傾斜面を構成する位置以外の１つ又は複数の位置に、１つ又は複数の車車間通信用アンテナが設けられてもよい。即ち、１台の車車間通信用アンテナ搭載リーン車両は、複数の車車間通信用アンテナを備えていてもよい。例えば、車車間通信用アンテナが、非金属製フロントカバーに加え、車車間通信用アンテナ搭載リーン車両の後部にも設けられてもよい。【００２４】  １台の車車間通信用アンテナ搭載リーン車両において、金属製基板アンテナ部は、車車間通信用アンテナに設けられる。車車間通信用アンテナに設けられる金属製基板アンテナ部は、１つであってもよく、複数であってもよい。車車間通信用アンテナに設けられていない金属製基板アンテナ部が、車車間通信用アンテナ搭載リーン車両に設けられてもよい。即ち、１台の車車間通信用アンテナ搭載リーン車両は、複数の金属製基板アンテナ部を備えていてもよい。【００２５】  １台の車車間通信用アンテナ搭載リーン車両に複数の金属製基板アンテナ部が設けられる場合、複数の金属製基板アンテナ部は、互いに同じ又は異なる放射特性を有する。アンテナの放射特性とは、放射パターン及び受信感度の両方を含む。つまり、アンテナの放射特性は、送信性能と受信性能の両方である送受信性能を含む。【００２６】  車車間通信用アンテナは、金属製基板アンテナ部を有する。車車間通信用アンテナは、指向性を有していてもよく、無指向性であってもよい。無指向性のアンテナとは、指向性を有さないアンテナであって、アンテナを通るある平面でアンテナを中心とした全方向にほぼ均一の放射強度を有するアンテナである。無指向性の車車間通信用アンテナの車載垂直方向の指向性は、特に限定されない。また、指向性のアンテナとは、指向性を有するアンテナであって、アンテナを通るいずれの平面においてもアンテナを中心とした全方向に均一でなく、アンテナを中心としたある特定の方向に強い放射強度を有するアンテナである。車車間通信用アンテナは、車車間通信および路車間通信を行うためのアンテナであってもよい。車車間通信用アンテナは、路車間通信を行うためのア���テナであってもよい。【００２７】  非金属製フロントカバーは、車車間通信用アンテナ搭載リーン車両が前から見られた場合に視認され得る部分の少なくとも一部を構成し、前から後方向に流れる走行風を受けるように構成されている。非金属製フロントカバーは、ヘッドパイプを覆う乃至囲う部分を有する。但し、非金属製フロントカバーは、当該部分に限定されない。車車間通信用アンテナ搭載リーン車両がウィンドシールドを有する場合、ウィンドシールドは、非金属製フロントカバーの一例に該当する。【００２８】  傾斜角は、対象の面又は線が鉛直線からどの程度傾斜しているかを示す。傾斜角は、鉛直線との間で成す角として定義される。面又は線の傾斜角が小さいほど、当該面又は線の傾きが小さく、当該面又は線は鉛直に近い。面又は線の傾斜角が大きいほど、当該面又は線の傾きが大きく、当該面又は線は水平に近い。【００２９】  車両上下方向とは、車体フレームが直立状態における車両が接地する水平な路面に直交する方向である。車両左右方向とは、車体フレームが直立状態における車体フレームの幅方向中央を通る平面に直交する方向である。車両前後方向とは、車両上下方向および車両左右方向の両方に直交する方向である。なお、車体フレームが直立状態とは、車体フレームの幅方向の中央を通る平面が車両が接地する水平な路面に垂直である状態である。【００３０】  車両の前部とは、車両前後方向における車両の中央の位置よりも車両前方向にある部分のことを意味する。車両の後部とは、車両前後方向における車両の中央の位置よりも車両後方向にある部分のことを意味する。また、車両の上部とは、車両上下方向における車両の中央の位置よりも車両上方向にある部分のことを意味する。車両の下部とは車両上下方向における車両の中央の位置よりも車両下方向にある部分のことを意味する。【００３１】  ある部品の端部とは、部品の端とその近傍部とを合わせた部分を意味する。【００３２】  Ａ方向に沿った方向とは、Ａ方向と平行な方向に限らない。Ａ方向に沿った方向とは、Ａ方向に対して−４５°以上＋４５°以下の範囲内で傾斜している直線を含む。同様の定義が、「沿った」を用いた他の表現にも適用される。「沿った」を用いた他の表現とは、例えば、「Ａ方向に沿った方向」や、「複数のＢがＡ方向に沿って配列される」や、「１つのＢがＡ方向に沿っている」等である。なお、Ａ方向は、特定の方向を指すものではない。Ａ方向を、水平方向や前後方向に置き換えることができる。【００３３】  ＡがＢより前方向に配置されるとは、以下の状態を指す。Ａは、Ｂの最前端を通り前後方向に直交する平面の前方向に配置される。この場合、ＡとＢは、前後方向に沿って並んでいてもよく、並んでいなくてもよい。この定義は、「ＡがＢより後方向に配置される」、「ＡがＢより右方向に配置される」、「ＡがＢより左方向に配置される」、「ＡがＢより上方向に配置される」、「ＡがＢより下方向に配置される」という表現にも適用される。【００３４】  Ｘ方向に並ぶＡとＢとは、以下の状態を示す。Ｘ方向に垂直な方向にＡとＢを見たときに、ＡとＢの両方がＸ方向を示す任意の直線上に配置されている状態である。Ｙ方向に見てＸ方向に並ぶＡとＢとは、以��の状態を示す。Ｙ方向にＡとＢを見たときに、ＡとＢの両方がＸ方向を示す任意の直線上に配置されている状態である。この場合、Ｙ方向とは異なるＷ方向にＡとＢを見ると、ＡとＢのいずれか一方がＸ方向を示す任意の直線上に配置されていない状態であってもよい。尚、ＡとＢが接触していてもよい。ＡとＢが離れていてもよい。ＡとＢの間にＣが存在していてもよい。【００３５】  本明細書において、ＡがＢの前方向に配置されるとは、以下の状態を指す。ＡとＢが前後方向に並んでおり、且つ、ＡのＢと対向する部分が、Ｂより前向方に配置される。この定義において、Ｂの前面のうちＡと対向する部分が、Ｂの最前端の場合には、ＡはＢよりも前方向に配置される。この定義において、Ｂの前面のうちＡと対向する部分が、Ｂの最前端ではない場合には、ＡはＢよりも前方向に配置されてもよく、されなくてもよい。この定義は、前後方向以外の方向の左右方向および上下方向にも適用される。尚、Ｂの前面とは、Ｂを前方から見た時に見える面のことである。Ｂの形状によっては、Ｂの前面とは、連続した１つの面ではなく、複数の面で構成される場合がある。【００３６】  本明細書において、左方向または右方向に見て、ＡがＢの前方向に配置されるとは、以下の状態を指す。左方向または右方向に見て、ＡとＢが前後方向に並んでおり、且つ、左方向または右方向に見て、ＡのＢと対向する部分が、Ｂより前方向に配置される。この定義において、ＡとＢは、３次元では、前後方向に並んでいなくてもよい。この定義は、「ＡがＢの後方向に配置される」、「ＡがＢの右向方に配置される」、「ＡがＢの左方向に配置される」、「ＡがＢの上方向に配置される」、「ＡがＢの下方向に配置される」という表現にも適用される。【００３７】  含む（ｉｎｃｌｕｄｉｎｇ）、有する（ｃｏｍｐｒｉｓｉｎｇ）、備える（ｈａｖｉｎｇ）およびこれらの派生語は、列挙されたアイテムおよびその等価物に加えて追加的アイテムをも包含することが意図されて用いられている。取り付けられた（ｍｏｕｎｔｅｄ）、接続された（ｃｏｎｎｅｃｔｅｄ）および結合された（ｃｏｕｐｌｅｄ）という用語は、広義に用いられている。具体的には、直接的な取付、接続および結合だけでなく、間接的な取付、接続および結合も含む。更に、接続された（ｃｏｎｎｅｃｔｅｄ）および結合された（ｃｏｕｐｌｅｄ）は、物理的または機械的な接続／結合に限られない。それらは、直接的なまたは間接的な電気的接続／結合も含む。【００３８】  他に定義されない限り、本明細書で使用される全ての用語（技術用語および科学用語を含む）は、当業者によって一般的に理解されるのと同じ意味を有する。一般的に使用される辞書に定義された用語のような用語は、関連する技術および本開示の文脈における意味と一致する意味を有すると解釈されるべきであり、理想化されたまたは過度に形式的な意味で解釈されることはない。【００３９】  本明細書において、「好ましい」という用語は非排他的なものである。「好ましい」は、「好ましいがこれに限定されるものではない」ということを意味する。本明細書において、「好ましい」と記載された構成は、少なくとも、上記（１）の構成により得られる上記効果を奏する。また���本明細書において、「してもよい」という用語は非排他的なものである。「してもよい」は、「してもよいがこれに限定されるものではない」という意味である。本明細書において、「してもよい」と記載された構成は、少なくとも、上記（１）の構成により得られる上記効果を奏する。【００４０】  特許請求の範囲において、ある構成要素の数を明確に特定しておらず、英語に翻訳された場合に単数で表示される場合、この構成要素は、複数であってもよい。また、この構成要素は、１つのみであってもよい。【００４１】  上述した他の観点による構成を互いに組み合わせることは制限されない。実施形態を詳細に説明する前に、本発明は、以下の説明に記載されたまたは図面に図示された構成要素の構成および配置の詳細に制限されないことが理解されるべきである。本発明は、他の実施形態でも可能であり、様々な変更を加えた実施形態でも可能である。また、本発明は、後述する変形例を適宜組み合わせて実施することができる。
【発明の効果】
【００４２】  本発明の車車間通信用アンテナ搭載リーン車両によれば、車車間通信の通信性能を確保しつつ、フロントカバー前傾斜面の設計自由度を高め、フロントカバー内の内部空間の利用効率を向上させることができる。
【図面の簡単な説明】
【００４３】
【図１】（ａ）は、一実施形態に係る車車間通信用アンテナ搭載リーン車両を模式的に示す側面図であり、（ｂ）は、（ａ）に示す車車間通信用アンテナ搭載リーン車両に搭載された車車間通信用アンテナを模式的に示す縦断面図である。
【図２】（ａ）は、図１（ｂ）に示す車車間通信用アンテナを模式的に示す横断面図であり、（ｂ）は、図１（ｂ）に示す車車間通信用アンテナを模式的に示す正面図である。
【図３】図１に記載の車車間通信用アンテナ搭載リーン車両の車車間通信用アンテナの車幅方向の電波の放射領域を示す正面図である。
【発明を実施するための形態】
【００４４】  以下、図面を参照して、一実施形態について説明する。  図１（ａ）は、一実施形態に係る車車間通信用アンテナ搭載リーン車両１０を模式的に示す側面図である。図１（ｂ）は、車車間通信用アンテナ搭載リーン車両１０に搭載された車車間通信用アンテナ１００を模式的に示す縦断面図である。当該縦断面図は、図１（ａ）におけるＡ部分の拡大図である。Ｘ方向は、車車間通信用アンテナ搭載リーン車両１０の車両前後方向を示す。Ｙ方向は、車車間通信用アンテナ搭載リーン車両１０の車両上下方向を示す。Ｚ方向は、車車間通信用アンテナ搭載リーン車両１０の車両左右方向を示す。図１において、Ｚ方向は、紙面手前−奥行方向である。
【００４５】  図１（ａ）に示すように、本実施形態の車車間通信用アンテナ搭載リーン車両１０は、スクータ型である。車車間通信用アンテナ搭載リーン車両１０は、リーン車体４０を備える。リーン車体４０は、左旋回中に左方向（Ｚ方向における紙面手前方向）に傾斜する。リーン車体４０は、右旋回中に右方向（Ｚ方向における紙面奥行方向）に傾斜する。リーン車体４０は、ヘッドパイプ１を含むメインフレーム３と、シートフレーム５と、サイドカバー９と、グラブバー１１と、リアフェンダ１５と、駆動系１７と、リーン車輪１９、２３と、フロントフォーク２１と、非金属製フロントカバー２５と、棒状のステアリングハンドル２９（バーハンドル）と、を備えている。車車間通信用アンテナ搭載リーン車両１０は、さらに、シート７と、テールライト１３と、ヘッドライト２７と、ナンバープレート３０と、を備えている。
【００４６】  メインフレーム３は、車車間通信用アンテナ搭載リーン車両１０の骨格を構成している。シートフレーム５は、メインフレーム３から後方向に延出されている。シートフレーム５は、運転者が座るためのシート７と、同乗者が座るための同乗者用シート７ａとを支持する。テールライト１３は、シートフレーム５の後部に取り付けられている。サイドカバー９は、シートフレーム５の側面及び後部を覆い、テールライト１３の前部と下部とを覆うように取り付けられている。このテールライト１３は、ブレーキの作動状況を示すライトと方向指示器とを一体的に備えている。グラブバー１１は、同乗者の手によって把持されたり、荷物の搭載時に使用されたりする。
【００４７】  メインフレーム３の後方には、駆動系１７が搭載されている。駆動系１７は、エンジン及びサスペンション等を含む。駆動系１７の後方には、後輪としてのリーン車輪１９が取り付けられている。リーン車輪１９は、接地部１９ａを有する。リアフェンダ１５は、リーン車輪１９の上部及び斜め上方向を覆うように、リーン車輪１９から離れた位置に設けられている。リアフェンダ１５は、例えば、樹脂で成形されて構成されている。リアフェンダ１５よりも後において、テールライト１３の下方向には、ナンバープレート３０が傾斜するように取り付けられている。
【００４８】  ヘッドパイプ１の上部には、ステアリングハンドル２９が回動自在に取り付けられている。ヘッドパイプ１の下方向には、ステアリングハンドル２９の回動に連動するフロントフォーク２１が取り付けられている。フロントフォーク２１の下部には、前輪としてのリーン車輪２３が回転自在に取り付けられている。リーン車輪２３は、接地部２３ａを有する。
【００４９】  接地部１９ａ、２３ａは、略円弧状の横断面輪郭形状（図示せず）を有する。接地部１９ａ、２３ａは、ラウンド型である。接地部１９ａ、２３ａは、シングルラジウスであってもよく、ダブルラジウスであってもよい。リーン車輪１９、２３は、リーン車体４０に設けられている。リーン車輪１９、２３は、左旋回中に左方向に傾斜し、右旋回中に右方向に傾斜する。
【００５０】  シート７は、前後方向（Ｘ方向）において、前後のリーン車輪１９、２３の間に位置する。リーン車体４０には、車車間通信装置５０が設けられている。車車間通信装置５０は、シート７の下方向におけるリーン車体４０内部に設けられている。車車間通信装置５０は、例えば、ＥＣＵ（Ｅｌｅｃｔｒｉｃ  Ｃｏｎｔｒｏｌ  Ｕｎｉｔ）である。車車間通信装置５０は、リーン車体４０の周囲に存在する車両（図示せず）との車車間通信に用いられる。
【００５１】  ヘッドパイプ１の前部には、メインフレーム３から延出されたステー（図示せず）を介して、非金属製フロントカバー２５が取り付けられている。非金属製フロントカバー２５は、非金属材料により形成され、後方向に見て被視認可能であり且つ走行時に前から風を受ける前傾斜面２５ｆを有する。非金属材料としては、特に限定されず、例えば、樹脂、炭素材料、ＣＦＲＰ（炭素繊維に樹脂を含浸させた複合物）が挙げられる。前傾斜面２５ｆは、例えば、直立状態の車車間通信用アンテナ搭載リーン車両１０を横から見て、前輪としてのリーン車輪２３の上端２３ｕよりも上における車車間通信用アンテナ搭載リーン車両１０の前輪郭線２５ｐの少なくとも一部を含む。前傾斜面２５ｆは、例えば、全体として、下部分が、より前に位置し、上部分が、より後ろに位置するように構成されている。前傾斜面２５ｆは、直立状態の車車間通信用アンテナ搭載リーン車両１０の側面視において、前から次第に傾斜角が大きくなるように湾曲している。非金属製フロントカバー２５には、ヘッドライト２７が設けられている。
【００５２】  非金属製フロントカバー２５の上部には、非金属製ウィンドシールド２６が取り付けられている。非金属製ウィンドシールド２６も、非金属製フロントカバー２５と同様に、非金属材料により構成されている。非金属製ウィンドシールド２６は、例えば、全体として、下部分が、より前に位置し、上部分が、より後ろに位置するように構成されている。非金属製フロントカバー２５は、直立状態の車車間通信用アンテナ搭載リーン車両１０の側面視において、前から次第に傾斜角が大きくなるように湾曲している。
【００５３】  車車間通信用アンテナ搭載リーン車両１０は、車車間通信用アンテナ１００を備えている。車車間通信用アンテナ１００は、後述するように、車車間通信装置５０と電気的に接続された金属製基板アンテナ部１５１を有する。車車間通信用アンテナ１００は、リーン車体４０と一体的に左方または右方に傾斜するようにリーン車体４０に設けられている。車車間通信用アンテナ１００は、シート７の前端７ｆよりも前、且つ前輪としてのリーン車輪２３の上端２３ｕよりも上において、非金属製フロントカバー２５の前傾斜面２５ｆの少なくとも一部を構成するようにリーン車体４０に設けられる。金属製基板アンテナ部１５１は、非金属製フロントカバー２５の前傾斜面２５ｆにおいて視認されないように樹脂母材１７０内に埋設されている。
【００５４】  車車間通信用アンテナ１００は、車車間通信用アンテナ搭載リーン車両１０の前方向に少なくとも電波を送信する。本実施形態の車車間通信用アンテナ１００は、電波の受信も行う。車車間通信用アンテナ１００は、リーン車体４０と一体的に左方向または右方向に傾斜する。  車車間通信用アンテナ１００は、水平方向に対し上斜め方向及び下斜め方向の放射領域（本実施形態において例えば水平方向から少なくとも上下４５度の放射領域）を有する。従って、リーン車体４０が旋回中に右方向又は左方向に傾斜した時に、車車間通信用アンテナ１００は、地面に対して水平面の指向性を保持できる。つまり、リーン車体４０が右方向又は左方向に傾斜した時に、車車間通信用アンテナ１００は、水平方向に電波を放射できる。
【００５５】  図３（ａ）及び（ｂ）を参照して、車車間通信用アンテナ搭載リーン車両１０の車車間通信用アンテナ１００の電波の放射領域について説明する。図３は、図１に記載の車車間通信用アンテナ搭載リーン車両１０の車車間通信用アンテナ１００の車幅方向の電波の放射領域を示す正面図である。図３のパート（ａ）は、車車間通信用アンテナ１００の直立状態における車車間通信用アンテナ１００の車幅方向の電波の放射領域を示す正面図である。また、図３のパート（ｂ）は、図１に記載の車車間通信用アンテナ搭載リーン車両１０のリーン姿勢における車幅方向の電波の放射領域を示す正面図である。
【００５６】  車車間通信用アンテナ搭載リーン車両１０の直立状態における車車間通信用アンテナ１００の車幅方向における電波の放射領域を、図３（ａ）に示す。図３（ａ）に示す車車間通信用アンテナ搭載リーン車両１０は、平坦な地面Ｇに対して直立している。車車間通信用アンテナ１００の車幅方向における電波の放射領域の進行方向右上縁端Ｌ１は、車車間通信用アンテナ１００から、車車間通信用アンテナ１００を通る水平線Ｈよりも角度θ１だけ斜め上方向に伸びている。車車間通信用アンテナ１００の車幅方向における電波の放射領域の進行方向右下縁端Ｌ２は、車車間通信用アンテナ１００から、車車間通信用アンテナ１００を通る水平線Ｈよりも角度θ２だけ斜め下方向に伸びている。従って、車車間通信用アンテナ１００の車幅方向における進行方向右方向の電波の放射領域は、Ｌ１とＬ２との間の領域Ｅ１である。また、車車間通信用アンテナ１００の車幅方向における電波の放射領域の進行方向左上縁端Ｌ３は、車車間通信用アンテナ１００から、車車間通信用アンテナ１００を通る水平線Ｈよりも角度θ３だけ斜め上方向に伸びている。車車間通信用アンテナ１００の車幅方向における電波の放射領域の進行方向左下縁端Ｌ４は、車車間通信用アンテナ１００から、車車間通信用アンテナ１００を通る水平線Ｈよりも角度θ４だけ下方向に伸びている。従って、車車間通信用アンテナ１００の車幅方向における進行方向右方向の電波の放射領域は、Ｌ３とＬ４との間の領域Ｅ２である。
【００５７】  一方で、車車間通信用アンテナ搭載リーン車両１０が傾斜した状態における車車間通信用アンテナ１００の車幅方向の電波の放射領域を、図３（ｂ）に示す。図３（ｂ）に示すように、車車間通信用アンテナ搭載リーン車両１０は、平坦な地面Ｇに対して角度θ０だけ進行方向左方向に傾斜している。車車間通信用アンテナ１００の車幅方向における電波の放射領域の進行方向右上縁端Ｌ１は、車車間通信用アンテナ１００から、車車間通信用アンテナ１００を通る水平線Ｈよりも角度θ５（＝θ１＋θ０）だけ斜め上方向に伸びている。車車間通信用アンテナ１００の車幅方向における電波の放射領域の進行方向右下縁端Ｌ２は、車車間通信用アンテナ１００から、車車間通信用アンテナ１００を通る水平線Ｈよりも角度θ６（＝θ２−θ０）だけ下方向に伸びている。従って、θ２＞θ０であれば、車車間通信用アンテナ１００の車幅方向における電波は、進行方向右下方向の放射領域を確保できる。
【００５８】  また、車車間通信用アンテナ１００の車幅方向における電波の放射領域の進行方向左上縁端Ｌ３は、車車間通信用アンテナ１００から、車車間通信用アンテナ１００を通る水平線Ｈよりも角度θ７（＝θ３−θ０）だけ斜め上方向に伸びている。車車間通信用アンテナ１００の車幅方向における電波の放射領域の進行方向左下縁端Ｌ４は、車車間通信用アンテナ１００から、車車間通信用アンテナ１００を通る水平線Ｈよりも角度θ８（＝θ４＋θ０）だけ下方向に伸びている。従って、θ３＞θ０であれば、車車間通信用アンテナ１００の車幅方向における進行方向左方向電波の放射領域は、Ｌ３とＬ４との間の領域Ｅ２である。このため、車車間通信用アンテナ１００の車幅方向における電波は、進行方向左上方向の放射領域を確保できる。
【００５９】  従って、車車間通信用アンテナ搭載リーン車両１０が傾斜した状態においても、車車間通信用アンテナ１００は、地面に対して水平方向の指向性を有する。これは、車車間通信用アンテナ搭載リーン車両１０のリーン車体４０が直立姿勢の時に、地面と水平方向に対し斜め方向に電波を放射することにより、電波の放射領域に上下方向の幅を持たせることができるからである。
【００６０】  従って、車車間通信用アンテナ搭載リーン車両１が左又は右に旋回中に傾斜した場合においても、リーン車両の前方かつ左方向及び右方向の領域に存在する車両と、直進中と同様の状態で車車間通信を行うことができる。
【００６１】  車車間通信用アンテナ１００について、図１（ａ）、（ｂ）に加え、図２（ａ）、（ｂ）を参照して、より詳細に説明する。図２（ａ）は、車車間通信用アンテナ１００を模式的に示す横断面図である。図２（ｂ）は、車車間通信用アンテナ１００を模式的に示す正面図である。中心線Ｃは、車両左右方向におけるリーン車体４０の中心線を示す。
【００６２】  非金属製フロントカバー２５において、車両左右方向における車車間通信用アンテナ搭載リーン車両１０の略中央には、車車間通信用アンテナ１００を設けるための嵌合用開口２５ｖが形成されている。車車間通信用アンテナ１００は、嵌合用開口２５ｖに嵌め込まれている。これにより、車車間通信用アンテナ１００は、車両左右方向における車車間通信用アンテナ搭載リーン車両１０の略中央に配置されている。車車間通信用アンテナ１００は、中心線Ｃが車車間通信用アンテナ１００と重なるように設けられている。車車間通信用アンテナ１００は、アンテナ素子１５０を備える。アンテナ素子１５０は、板状に成形された樹脂母材１７０と、樹脂母材１７０内に埋設された金属製基板アンテナ部１５１を備える。アンテナ素子１５０は、例えば、金属製基板アンテナ部１５１が樹脂モールドされることにより形成されている。金属製基板アンテナ部１５１は、中心線Ｃが金属製基板アンテナ部１５１と重なるように設けられている。金属製基板アンテナ部１５１は、金属製基板アンテナ部１５１の後表面から非金属製フロントカバー２５内の内部空間へ向けて突出する金属端子１５３を有している。金属端子１５３には、アンテナ線１５４が接続されている。アンテナ線１５４は、車車間通信装置５０に接続されている。アンテナ線１５４と金属端子１５３との接続部分は、樹脂母材１７０により覆われていない。但し、アンテナ線１５４と金属端子１５３との接続部分は、樹脂母材１７０により覆われていてもよい。
【００６３】  図２（ｂ）に示す正面視において、金属製基板アンテナ部１５１は、車車間通信用アンテナ１００の略中央に設けられている。車車間通信用アンテナ１００の外周縁には、複数の固定用開口１１２が、互いに間隔を空けて形成されている。固定用開口１１２は、車車間通信用アンテナ１００の内表面から外表面へ向けて形成されている。非金属製フロントカバー２５の内面２５ｔには、各固定用開口１１２と対応する位置に、固定部２５ｕが形成されている。固定部２５ｕには、固定用開口２５ｒが形成されている。ボルト１４３が固定用開口１１２及び固定用開口２５ｒに取り付けられることにより、車車間通信用アンテナ１００が、非金属製フロントカバー２５に固定されている。
【００６４】  車車間通信用アンテナ１００の樹脂母材１７０に埋設された金属製基板アンテナ部１５１は、板状である。金属製基板アンテナ部１５１は、車幅左右方向における中央部分が前方向へ突出するように湾曲している。金属製基板アンテナ部１５１の前輪郭線１５１ｐと、鉛直線とが、鈍角Ｑを成す。金属製基板アンテナ部１５１の前表面は、車車間通信用アンテナ１００の前表面（外表面）と略平行乃至実質的に平行である。金属製基板アンテナ部１５１の後表面は、車車間通信用アンテナ１００の後表面（内表面）と略平行乃至実質的に平行である。波長短縮により、金属製基板アンテナ部１５１がコンパクトに形成されているので、車車間通信の送受信性能が確保されつつ、金属製基板アンテナ部１５１が樹脂母材１７０内に埋設されている。金属製基板アンテナ部１５１の前方向には、樹脂母材１７０が位置している。金属製基板アンテナ部１５１の後方向には、樹脂母材１７０が位置している。金属製基板アンテナ部１５１の前表面は、樹脂母材１７０と接触するように樹脂母材１７０により覆われている。金属製基板アンテナ部１５１の後表面は、樹脂母材１７０と接触するように樹脂母材１７０により覆われている。
【００６５】  直立状態の車車間通信用アンテナ搭載リーン車両１０の側面視において、金属製基板アンテナ部１５１の前には、金属部品が配置されていない。そのため、前方への電磁波の放射が妨げられない。さらに、金属製基板アンテナ部１５１は、シート７よりも前に位置するので、運転者及び同乗者の体により電磁波が減衰することが抑制され得る。その結果、前方の車両（先行車両や対向車両）との車車間通信が好適に実施され得る。路車間通信も好適に実施され得る。
【００６６】  上述した実施形態では、車車間通信用アンテナ１００の前表面又は後表面のいずれの面においても、樹脂母材１７０が露出している。但し、車車間通信用アンテナ１００の前表面及び後表面のうち、少なくとも１つの面に塗装が施されていてもよい。また、前記少なくとも１つの面に樹脂フィルムが設けられていてもよい。
【符号の説明】
【００６７】１  ヘッドパイプ３  メインフレーム５  シートフレーム７  シート  ７ａ  同乗者用シート  ７ｆ  （シートの）前端９  サイドカバー１０  車車間通信用アンテナ搭載リーン車両１１  グラブバー１３  テールライト１５  リアフェンダ１７  駆動系１９  リーン車輪（後輪）  １９ａ  接地部２１  フロントフォーク２３  リーン車輪（前輪）  ２３ａ  接地部  ２３ｕ  上端２５  非金属製フロントカバー  ２５ｆ  前傾斜面  ２５ｐ  前輪郭線  ２５ｒ  固定用開口  ２５ｔ  内面  ２５ｕ  固定部  ２５ｖ  嵌合用開口２６  非金属製ウィンドシールド２７  ヘッドライト２９  ステアリングハンドル３０  ナンバープレート５０  車車間通信装置１００  車車間通信用アンテナ１１２  固定用開口１４３  ボルト１５０  アンテナ素子１５１  金属製基板アンテナ部  １５１ｐ  （金属製基板アンテナ部の）前輪郭線１５３  金属端子１５４  アンテナ線１７０  樹脂母材
【図１】
2020045393.tif 000003
【図２】
2020045393.tif 000004
【図３】
2020045393.tif 000005
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
左旋回中に左方向に傾斜し、右旋回中に右方向に傾斜するリーン車体と、
略円弧状の横断面輪郭形状を有する接地部を有し、前記リーン車体に設けられ、左旋回中に左方向に傾斜し、右旋回中に右方向に傾斜するように、前後それぞれに設けられるリーン車輪と、
車両前後方向において、前後のリーン車輪の間に位置するシートと、
非金属材料により形成され、後方向に見て被視認可能であり且つ走行時に前から風を受ける前傾斜面を有する非金属性フロントカバーと、
前記リーン車体に設けられ、前記リーン車体の周囲に存在する車両との車車間通信に用いられる車車間通信装置と、
前記車車間通信装置に電気的に接続された板状の金属製基板アンテナ部を有し、前記リーン車体と一体的に左方または右方に傾斜するように設けられ、少なくとも前記車車間通信用アンテナ搭載リーン車両の前方向に電波を少なくとも送信する車車間通信用アンテナと
を有する車車間通信用アンテナ搭載リーン車両であって、
前記車車間通信用アンテナは、前記シートの前端よりも前且つ前記リーン車輪の上端よりも上において、前記非金属製フロントカバーの前記前傾斜面の少なくとも一部を構成するように前記リーン車体に設けられ、
前記金属製基板アンテナ部は、前記非金属製フロントカバーの前記前傾斜面において視認されないように樹脂母材内に埋設されている
ことを特徴とする車車間通信用アンテナ搭載リーン車両。
【請求項２】
請求項１に記載の車車間通信用アンテナ搭載リーン車両であって、
前記車車間通信用アンテナは、前記金属製基板アンテナ部と電気的に接続されたアンテナ線を備え、
前記アンテナ線は、前記車車間通信用アンテナの後表面から、前記非金属製フロントカバー内の内部空間へ延びている
ことを特徴とする車車間通信用アンテナ搭載リーン車両。
【請求項３】
リーン車両に搭載されるように構成されたことを特徴とする、請求項１又は２に記載の車車間通信用アンテナ。
【国際調査報告】
2020045393.tif 000006
2020045393.tif 000007
2020045393.tif 000008
2020045393.tif 000009